(57)【要約】【課題】排紙口から送り出された付箋紙に対して、筆記のために一旦机の上等に貼ることなく、排紙された状態のままで筆記することができる付箋紙印刷装置を提供することを課題とする。【解決手段】セットした付箋紙束から付箋紙１２ｈを１枚ずつ引き剥がし且つ付箋紙１２ｈに印刷を行った後、印刷面を上にして装置ケースに形成した排紙口から送り出すようにした付箋紙ものであって、排紙口から送り出し方向に略水平に延在するように装置ケースに設けられ、排紙口から送り出された付箋紙１２ｈを受けると共に上面が平坦に形成された付箋紙受け台７１を備えた。【選択図】図４
2007197121.tif 000002
【特許請求の範囲】
【請求項１】
セットした付箋紙束から付箋紙を１枚ずつ引き剥がし且つ前記付箋紙に印刷を行った後、印刷面を上にして装置ケースに形成した排紙口から送り出すようにした付箋紙印刷装置であって、
前記排紙口から送り出し方向に略水平に延在するように前記装置ケースに設けられ、前記排紙口から送り出された前記付箋紙を受けると共に上面が平坦に形成された付箋紙受け台を、備えたことを特徴とする付箋紙印刷装置。
【請求項２】
前記付箋紙受け台の上面は、筆記具を持った手をこれに置きながら前記付箋紙に筆記可能な大きさに形成されていることを特徴とする請求項１に記載の付箋紙印刷装置。
【請求項３】
前記付箋紙受け台は、少なくともその上面が、筆記時の筆圧により、弾性変形する弾性材料で構成されていることを特徴とする請求項１または２に記載の付箋紙印刷装置。
【請求項４】
前記付箋紙受け台は、外縁部に、前記付箋紙の周縁部を摘むための切欠き部および上面凹部のいずれかを有することを特徴とする請求項１ないし３のいずれかに記載の付箋紙印刷装置。
【請求項５】
前記付箋紙受け台は、前記装置ケースに添う姿勢に、折り畳み収納可能に構成されていることを特徴とする請求項１ないし４のいずれかに記載の付箋紙印刷装置。
【請求項６】
前記付箋紙受け台の先端側を支持する支持脚を、さらに備えたことを特徴とする請求項１ないし５のいずれかに記載の付箋紙印刷装置。
【請求項７】
前記付箋紙束から前記付箋紙を１枚ずつ引き剥がすと共に前記排紙口に送り出す送り手段と、
前記付箋紙に印刷を行うための印刷手段と、
前記送り手段および前記印刷手段を制御する制御手段と、をさらに備え、
前記制御手段は、印刷を行うことなく前記付箋紙を送り出す空送り制御可能に構成されていることを特徴とする請求項１ないし６のいずれかに記載の付箋紙印刷装置。
【請求項８】
前記送り手段は、前記排紙口の近傍に配設され、前記付箋紙の自由端側から転接する送りローラにより前記付箋紙を挟持した状態で回転送りし、
前記制御手段は、送り出されていく前記付箋紙の糊付け部が、前記送りローラに達したところで、前記送りローラの駆動を停止させることを特徴とする請求項７に記載の付箋紙印刷装置。
【発明の詳細な説明】
【技術分野】
【０００１】
本発明は、セットした付箋紙束から付箋紙を引き剥がして排紙口へ送り出す付箋紙印刷装置に関するものである。
【背景技術】
【０００２】
従来、セットした付箋紙束から付箋紙を１枚ずつ引き剥がし且つ付箋紙に印刷を行った後、印刷面を上にして装置ケースに形成した排紙口（付箋紙排出口）から送り出す付箋紙印刷装置が知られている。そして、排紙口には、送り出された付箋紙を下側から保持する付箋紙保持部が形成されている（例えば、特許文献１参照）。
【特許文献１】特開２００３−１１４３７号公報
【発明の開示】
【発明が解決しようとする課題】
【０００３】
ところで、排紙口から送り出された付箋紙に対して、手帳等の被貼着物に貼る前に、排紙口から排紙された状態のままで付箋紙に筆記することができれば、筆記のために一旦机の上等に貼る手間が省け、糊付け部の粘着力が弱まることもなく、便利である。しかしながら、従来の付箋紙印刷装置の付箋紙保持部は、送り出された付箋紙を受け止めるものであって、受け止めた付箋紙に筆記することを考慮したものではなかった。
【０００４】
本発明は、排紙口から送り出された付箋紙に対して、筆記のために一旦机の上等に貼ることなく、排紙された状態のままで筆記することができる付箋紙印刷装置を提供することを課題とする。
【課題を解決するための手段】
【０００５】
本発明の付箋紙印刷装置は、セットした付箋紙束から付箋紙を１枚ずつ引き剥がし且つ付箋紙に印刷を行った後、印刷面を上にして装置ケースに形成した排紙口から送り出すようにした付箋紙印刷装置であって、排紙口から送り出し方向に略水平に延在するように装置ケースに設けられ、排紙口から送り出された付箋紙を受けると共に上面が平坦に形成された付箋紙受け台を、備えたことを特徴とする。
【０００６】
この構成によれば、付箋紙受け台は、排紙口から水平に延在すると共に、上面が平坦に構成されているため、筆記台として利用することができる。このため、ユーザは、付箋紙受け台を筆記台として利用することで、筆記のために一旦机の上等に貼ることなく、排紙された状態のままで筆記することができる。
【０００７】
この場合、付箋紙受け台の上面は、筆記具を持った手をこれに置きながら付箋紙に筆記可能な大きさに形成されていることが好ましい。
【０００８】
この構成によれば、付箋紙受け台の上面に手を置きながら、付箋紙受け台上の付箋紙に筆記可能となる。このため、付箋紙受け台上の付箋紙に対し、容易且つ適切に筆記することができる。
【０００９】
これらの場合、付箋紙受け台は、少なくともその上面が、筆記時の筆圧により、弾性変形する弾性材料で構成されていることが好ましい。
【００１０】
この構成によれば、付箋紙受け台の上面が弾性変形することで、わずかな筆圧を加えるだけで付箋紙に筆記可能となる。このため、付箋紙受け台上の付箋紙に対し、十分な筆圧を加えることができない場合でも、これに適切に筆記することができる。
【００１１】
これらの場合、付箋紙受け台は、外縁部に、付箋紙の周縁部を摘むための切欠き部および上面凹部のいずれかを有することが好ましい。
【００１２】
この構成によれば、切欠き部または上面凹部により、付箋紙受け台上の付箋紙の周縁部を摘みやすくなっている。このため、筆記後、付箋紙の引出し操作を容易に行うことができる。
【００１３】
これらの場合、付箋紙受け台は、装置ケースに添う姿勢に、折り畳み収納可能に構成されていることが好ましい。
【００１４】
この構成によれば、排紙口から略水平に延在する付箋紙受け台を、非使用時等に折り畳んで収容することができ、付箋紙受け台が邪魔にならない。
【００１５】
これらの場合、付箋紙受け台の先端側を支持する支持脚を、さらに備えたことが好ましい。
【００１６】
付箋紙受け台上の付箋紙に筆記する際、特に、付箋紙受け台上に筆記具を持った手を置きながら書く際には、付箋紙受け台の先端側に上方から体重が加わることになる。この点、本構成によれば、その力は支持脚に受けられる。このため、筆記者は、付箋紙受け台に体重がかがることで装置全体が傾いたり倒れたりする心配をすることなく、付箋紙受け台の先端側に体重を十分にかけながら、付箋紙に筆記することができる。
【００１７】
これらの場合、付箋紙束から付箋紙を１枚ずつ引き剥がすと共に排紙口に送り出す送り手段と、付箋紙に印刷を行うための印刷手段と、送り手段および印刷手段を制御する制御手段と、をさらに備え、制御手段は、印刷を行うことなく付箋紙を送り出す空送り制御可能に構成されていることが好ましい。
【００１８】
この構成によれば、セットした付箋紙束から、印刷された付箋紙を得ることができると共に、空送りをすることで何も印刷されていない付箋紙を得ることもできる。つまり、付箋紙ディスペンサーとして機能させることができる。
【００１９】
この場合、送り手段は、排紙口の近傍に配設され、付箋紙の自由端側から転接する送りローラにより付箋紙を挟持した状態で回転送りし、制御手段は、送り出されていく付箋紙の糊付け部が、送りローラに達したところで、送りローラの駆動を停止させることが好ましい。
【００２０】
この構成によれば、自由端側を先にして送り出された付箋紙は、糊付け部が挟持された状態で、付箋紙受け台に受けられる。このため、付箋紙に筆記する際に、筆記具を持っていない方の手等で付箋紙を押さえなくとも、付箋紙がズレにくく、適切に筆記することができる。
【発明を実施するための最良の形態】
【００２１】
以下、添付の図面を参照して、本発明の一実施形態に係る付箋紙プリンタおよびこれを適用した付箋紙印刷システムについて説明する。図１に示すように、付箋紙印刷システム１（付箋紙印刷装置）は、１以上の文字、図形等から成る所望のキャラクタ列を印刷した付箋紙１２ｈを得るためのものであって、付箋紙束１２（図３参照）をセットした付箋紙プリンタ２と、付箋紙プリンタ２にＵＳＢ等で接続され、付箋紙プリンタ２に各種制御信号を出力すると共に、キャラクタ列を作成・編集して、付箋紙プリンタ２に印刷データを供給するパソコン３とから構成されている。
【００２２】
パソコン３は、データを入力するキーボード１０１およびマウス１０２や、入力結果等を表示するディスプレイ１０３を有するほか、付箋紙プリンタ２に関するアプリケーションソフト（プログラム）やデバイスドライバ等のデータを記憶したＣＤ−ＲＯＭ１０４等の外部記憶媒体が組み込まれている。そして、ＣＰＵやメモリ等で構成された制御部１０５（図３参照）に対し、ＣＤ−ＲＯＭ１０４から読み取り・記憶したプログラムに従って、各種検出信号、各種指令、各種データ等が入力されると、制御部１０５は、メモリ内の各種データを処理し、付箋紙プリンタ２に制御信号を出力するようになっている。
【００２３】
なお、当然ではあるが、付箋紙プリンタ２に印刷データの作成・編集機能や各部の制御機能を設け、付箋紙プリンタ２を単体として用いて、付箋紙１２ｈに対する印刷を行うようにしてもよい。
【００２４】
図２に示すように、付箋紙プリンタ２は、装置ケース１３により外殻を形成したプリンタ本体１１と、プリンタ本体１１にセットした付箋紙束１２（図３参照）とで構成されており、セットした付箋紙束１２から１枚ずつ引き剥がした付箋紙１２ｈに対し、パソコン３から取得した印刷データに基づいて、インクリボンＲを介してキャラクタ列を印刷し、これを装置ケース１３に形成した排紙口１７から送り出すようにしたものである。
【００２５】
装置ケース１３は、全体として小型であって且つマウス形を有しており、下面には付箋紙束１２をケース内部に下方から導入するための付箋紙導入開口１６が形成され、前面中央には印刷済み付箋紙１２ｈをケース外部に送り出すための水平スリット状の排紙口１７が形成されている。また、装置ケース１３の上面には、インクリボンＲを収容したリボンカートリッジ１４を装着するための開閉蓋１８が取り付けられている。
【００２６】
図３に示すように、付箋紙束１２は、裏面の基端部を部分糊付けした複数の付箋紙１２ｈから構成されている。すなわち、付箋紙束１２は、同一形状（長方形）且つ同一サイズの複数の付箋紙１２ｈを、それぞれ裏面の基端部を部分糊付けして積層したものである。付箋紙１２ｈは、付箋紙束１２から１枚ずつ剥離可能に構成されていると共に、剥離後に、この基端部の糊付け部（接着剤）を介して、手帳等の被貼着物に再貼着可能に構成されている。なお、付箋紙１２ｈの長手方向における糊付け部の長さは、通常、５ｍｍ〜１５ｍｍ程度である。
【００２７】
プリンタ本体１１は、付箋紙束１２をセットする付箋紙ホルダ２１と、セットした付箋紙束１２から１枚ずつ引き剥がした付箋紙１２ｈを、自由端側を先にして排紙口１７から送り出す送り機構２２と、送り機構２２により送られていく付箋紙１２ｈに臨み、これに印刷を行うための印刷機構２３と、送りローラ４１（後述する）の下流側に位置して付箋紙１２ｈの有無を検出する検出センサ２４と、これらを収容する上記の装置ケース１３とを備えている。さらに、詳細は後述するが、排紙口１７から送り出された付箋紙１２ｈを受ける付箋紙受け部２５が設けられている。
【００２８】
付箋紙ホルダ２１は、所定サイズの付箋紙束１２を保持するものであって、上面を開放したボックス状に形成され、付箋紙束１２を収容するホルダ本体３１と、複数のコイルばね３２を介してホルダ本体３１を下側から支持すると共に、付箋紙導入開口１６を閉塞する蓋体３３と、から構成されている。ホルダ本体３１は、付箋紙束１２を水平に載置する方形のセットステージ３６と、セットステージ３６を上下方向にスライド自在に案内する四周枠状の導入ガイド３７とから成り、導入ガイド３７の上端部の前後には、付箋紙束１２の自由端部および糊付け部を相対的に押さえる一対の位置規制部３８，３８が内向きに突設されている。セットステージ３６は、複数のコイルばね３２により上方に付勢されており、これにセットされた付箋紙束１２は、付箋紙１２ｈが１枚ずつ送り出され目減りしても、その最上位に位置する付箋紙１２ｈの高さレベルが一定となっている。
【００２９】
付箋紙ホルダ２１は、装置ケース１３に対して蓋体３３がスナップイン形式で掛け止めされて、プリンタ本体１１に着脱自在となっている。すなわち、付箋紙ホルダ２１に付箋紙束１２をセットするときには、付箋紙ホルダ２１をプリンタ本体１１から取り外し、ホルダ本体３１に付箋紙束１２を入れた後、再び付箋紙ホルダ２１をプリンタ本体１１に取り付ける。この状態で、蓋体３３の下面と装置ケース１３の下面とが面一となって、付箋紙導入開口１６が閉塞される。
【００３０】
送り機構２２は、付箋紙束１２の最上位の付箋紙１２ｈを捲り上げると共に、捲り上げた付箋紙１２ｈを付箋紙束１２から引き剥がして排紙口１７に向けて送るものであって、最上位の付箋紙１２ｈに転接してこれを捲り上げると共に、後述するサーマルヘッド６１との間に捲り上げた付箋紙１２ｈを挟持して回転送りする送りローラ４１と、駆動源となる駆動モータ４２と、駆動モータ４２の駆動力を送りローラ４１に伝達する減速ギヤ列４３と、送りローラ４１を、付箋紙１２ｈを捲り上げる捲り位置と、付箋紙１２ｈの回転送りを行う送り位置との間で移動させるローラ移動機構４４とを備えている。
【００３１】
送りローラ４１は、捲り上げた付箋紙１２ｈの裏面に対して自由端側から転接してこれを引き剥がし、回転送りするものであって、付箋紙１２ｈに直接転接するローラ本体４６と、ローラ本体４６を回転自在に装着したローラ駆動軸４７とを有している。ローラ駆動軸４７は、両端部をローラ移動機構に回転自在に両持ちで保持され、減速ギヤ列４３を介して伝達される駆動モータ４２の動力により回転する。
【００３２】
ローラ本体４６は、シリコンゴム等の耐熱性を有する高摩擦材料で構成されており、送りローラ４１が、付箋紙１２ｈに転接してこれを捲り上げる機能と、後述するサーマルヘッド６１と協働するプラテンローラの機能とを併せ持つようになっている。また、ローラ本体４６は、その外周長が、付箋紙ホルダ２１にセットされる付箋紙束１２の各付箋紙１２ｈの糊付け部の長さよりも長くなっている。そのため、１回転すれば、少なくとも糊付け部の長さだけ、付箋紙１２ｈを送ることができる。
【００３３】
さらに、送りローラ４１は、ワンウェイクラッチを有し、排紙口１７からの付箋紙の引出し操作に伴い、自由回転するようになっている。すなわち、ローラ駆動軸４７には、径方向に延在するように係合部４８が突設され、ローラ本体４６の端面には、ローラ駆動軸４７の回転方向において係合部４８が係合する係合受け部４９が突設されており、この係合部４８と係合受け部４９とからワンウェイクラッチが構成されている。
【００３４】
このため、ローラ駆動軸４７が正方向（付箋紙１２ｈを排紙口１７に送り出す方向）に回転すると、各係合部４８が正方向側から各係合受け部４９に係合し、ローラ駆動軸４７の回転力がローラ本体４６に伝達され、ローラ本体４６がローラ駆動軸４７と一体となって正方向に回転する。一方、排紙口１７から付箋紙１２ｈを引き出すと、係合受け部４９が正方向に回転して係合部４８に当接するまで、ローラ本体４６がローラ駆動軸４７に対して自由回転する。
【００３５】
駆動モータ４２は、ＤＣモータで構成されており、その出力軸には、エンコーダ５１が設けられている。このエンコーダ５１の検出するパルス信号に基づいて、付箋紙１２ｈの送り量が制御され、さらにはサーマルヘッド６１の発熱駆動が制御される。
【００３６】
ローラ移動機構４４は、先端部でローラ駆動軸４７を回転自在に保持すると共に、基端部を中心に回動（揺動）自在に構成された一対の回動アーム５３を有しており、例えば、一方の回動アーム５３をキャリアとし、且つ上記の減速ギヤ列４３を構成する一部のギヤを利用した遊星歯車機構と、そのギヤの回転力を回動アーム５３の回動動作に変換するカム機構とにより構成されている。すなわち、遊星歯車機構による回動アーム５３の円運動が、カム機構により往復回動運動に変換されるようになっている。この回動アーム５３の往復回動運動により、送りローラ４１が、捲り位置と送り位置との間で移動する。
【００３７】
印刷機構２３は、排紙口１７の近傍に配設されたサーマルヘッド６１と、装着されたリボンカートリッジ１４のインクリボンＲを巻き取るリボン巻取り機構（図示省略）とを有している。リボンカートリッジ１４は、インクリボンＲを繰り出し自在に巻回したリボン繰出しリール６６と、インクリボンＲを巻き取るリボン巻取りリール６７と、これらを回転自在に収容するカートリッジケース（図示省略）とから構成されている。また、リボン巻取り機構は、送りローラ４１が送り位置へ移動すると、上記の減速ギヤ列４３と連結して駆動モータ４２からの動力が入力するようになっており、付箋紙１２ｈの送りと併せて、インクリボンＲの巻取り（送り）を開始するようになっている。
【００３８】
このようにして構成された印刷機構２３は、パソコン３からの制御信号により、サーマルヘッド６１および駆動モータ４２が制御されながら、付箋紙１２ｈに対する印刷を行う。すなわち、送り位置に移動した送りローラ４１とサーマルヘッド６１との間で、付箋紙１２ｈとインクリボンＲとを挟み込み、これらを同方向に送りつつ、サーマルヘッド６１の発熱駆動により付箋紙１２ｈの表面に印刷を行う。
【００３９】
ここで、パソコン３の制御部１０５は、送り機構２２による付箋紙１２ｈの送りと、サーマルヘッド６１の発熱駆動とを制御して、付箋紙１２ｈの空送り、すなわち印刷を行うことなく付箋紙を送り出すことができるように構成されている。これにより、印刷された付箋紙１２ｈを得ることができると共に、何も印刷されていない付箋紙１２ｈをも得ることもできる。つまり、付箋紙プリンタ２を、付箋紙ディスペンサーとして機能させることができる。
【００４０】
印刷後のインクリボンＲは、リボンカートリッジ１４内で巻き取られるが、印刷後の付箋紙１２ｈは、付箋紙束１２から引き剥がされ、印刷面（表面）を上にし、且つ自由端側を先にして排紙口１７から送り出される。このとき、送り出される印刷済み付箋紙１２ｈは、糊付け部が送りローラ４１に達したところで送りが停止される（詳細は後述する）と共に、付箋紙受け部２５により受け止められ、排紙口１７から装置外に落下しないようになっている。
【００４１】
付箋紙受け部２５は、排紙口１７の下側周縁部から送り方向に略水平に延在するように装置ケース１３に設けられると共に、排紙口１７から送り出された付箋紙１２ｈを受ける付箋紙受け台７１と、付箋紙受け台７１の先端側（延在端側）を支持する一対の支持脚７２，７２（図１参照）とを有している。一対の支持脚７２，７２は、補強のためその先端部で相互に連結されている。
【００４２】
図４に示すように、付箋紙受け台７１は平面視長方形に形成され、その上面は、平坦に形成されると共に、筆記具を持った手をこれに置きながら、送り出された付箋紙１２ｈに筆記可能な大きさに形成されている。
【００４３】
これによれば、付箋紙受け台７１を筆記台として利用することができる。このため、ユーザは、付箋紙受け台７１を筆記台として利用することで、筆記のために一旦机の上等に貼ることなく、排紙された状態のままで筆記することができる。しかも、付箋紙受け台７１の上面に手を置きながら、付箋紙受け台７１上の付箋紙１２ｈに筆記することができる。また、この場合、付箋紙受け台７１の先端側に上方から体重が加わることになるが、その力は支持脚７２に受けられる。このため、筆記者は、付箋紙受け台７１に体重がかかることで装置全体が傾いたり倒れたりする心配をすることなく、付箋紙受け台７１の先端側に体重を十分にかけながら、付箋紙に筆記することができる。
【００４４】
また、付箋紙受け台７１の上面は、ゴム等の弾性材料で構成されており、筆記時の筆圧により弾性変形するようになっている。これによれば、わずかな筆圧を加えるだけで付箋紙１２ｈに筆記可能となる。このため、付箋紙受け台７１上の付箋紙１２ｈに対し、十分な筆圧を加えることができない場合でも、これに適切に筆記することができる。
【００４５】
付箋紙受け台７１の先端縁には、送り出し方向に直交する方向における付箋紙１２ｈの排紙位置に対応して、略半円形状の切欠き部７３が形成されている。これにより、付箋紙受け台７１上の付箋紙１２ｈの送り出し方向先端部（自由端部）を摘みやすくなっている。このため、筆記後、付箋紙１２ｈの引出し操作を容易に行うことができる。なお、切欠き部７３に代えて、例えば略半円形状の上面凹部を形成してもよい。
【００４６】
さらに、付箋紙受け台７１は、装置ケース１３に沿う姿勢となって、折り畳み収納可能に構成されている。すなわち、付箋紙受け台７１は、その基端部に内蔵したヒンジ７４（図３参照）により、基端部を中心として上下方向に回動可能に構成されている。これによれば、排紙口１７から略水平に延在する付箋紙受け台７１を、非使用時等に折り畳んで収容することができ、付箋紙受け台７１が邪魔にならない。なお、上記一対の支持脚７２，７２についても、付箋紙受け台７１の折り畳み時に邪魔にならないよう、その基端部で付箋紙受け台７１に対して折り畳み可能になっており、付箋紙受け台７１の下面に形成した溝部（図示省略）に収容される。また、装置ケース１３内部にスペース的な余裕があれば、付箋紙受け台７１を装置ケース１３内にスライド収納可能な構成としてもよい。
【００４７】
図３に示すように、検出センサ２４は、送り位置に上動した送りローラ４１に対して送り方向の下流側に位置して、すなわち送りローラ４１と排紙口１７との間に配設されている。検出センサ２４は、図示しないが、付箋紙１２ｈ（送り経路）を間に挟んで対向する発光素子および受光素子が組み込まれたフォトインタラプタで構成されている。
【００４８】
検出センサ２４による検出信号は、パソコン３に出力され、その検出結果に基づいて、付箋紙１２ｈの送り量が制御されている。すなわち、検出センサ２４により、送られてくる付箋紙１２ｈの先端（自由端）が検出（検出結果が「無」→「有」）され、その先端検出を基準として、付箋紙が所定量送られる。具体的には、パソコン３の制御部１０５により、糊付け部が送りローラ４１に達した（接触した）ところで、駆動モータ４２を駆動停止させ、送りローラ４１の回転駆動が停止するように制御されている。
【００４９】
さらに、付箋紙１２ｈの印刷・送り終了後、付箋紙が排紙口１７から取り出されたことが検出（「有」→「無」）されるまでは、次の付箋紙１２ｈの印刷に移行しないようになっている（詳細は後述する）。
【００５０】
ここで、図５を参照して、付箋紙１２ｈの捲り上げから排出に至る一連の動作について説明する。ユーザがパソコン３により印刷開始を指示すると、送りローラ４１は、捲り位置に移動し、付箋紙ホルダ２１にセットされた付箋紙束１２の最上位の付箋紙１２ｈの表面に転接する（図５（ａ）参照）。
【００５１】
続いて、送りローラ４１が回転を開始し、付箋紙の捲り上げ動作を開始する。すなわち、送りローラ４１が最上位の付箋紙１２ｈに対し、表面の自由端側に転接することで、その長手方向の中間部が次第に上方へと湾曲するように撓んでいく（図５（ｂ）参照）。
【００５２】
捲り上がっていく付箋紙１２ｈの先端が送りローラ４１の下側を通過した直後に、送りローラ４１が回転しながら上動して付箋紙束１２から離間すると、付箋紙１２ｈは、送りローラ４１の回転力により、送りローラ４１の上側に撥ね上げられ、自由端部が送りローラ４１に乗り上げる（図５（ｃ）参照）。
【００５３】
付箋紙１２ｈを載せた送りローラ４１は、続いて、回転（自転）しながら送り位置に移動（公転）する（図５（ｄ）参照）。送りローラ４１が送り位置に達してサーマルヘッド６１との間に付箋紙１２ｈを挟持すると、これに併せてインクリボンＲの送りが開始される（図５（ｅ）参照）。
【００５４】
送りローラ４１は、大きく傾動した付箋紙１２ｈに対して、裏面に対し自由端側から転接し、これを付箋紙束１２から引き剥がし、自由端側を先にし排紙口１７に向けて回転送りすると同時に、プラテンローラとして機能する。すなわち、サーマルヘッド６１と送りローラ４１とが協働して、付箋紙１２ｈの表面に自由端側から印刷を行う（図５（ｆ）参照）。
【００５５】
そして、付箋紙１２ｈの糊付け部が送りローラ４１に達したところで、パソコン３の制御部１０５により駆動モータ４２が駆動停止させられ、送りローラ４１の回転が停止する（図５（ｇ）参照）。
【００５６】
このとき、排紙口１７に送られ、上記の付箋紙受け部２５に受けられた付箋紙は、その糊付け部により、回転送りを停止した送りローラ４１に付着している。また、この状態において、送りローラ４１が排紙口１７の近傍（送り出し方向の手前側直近）に位置しているため、付箋紙１２ｈは、基端部を除き、大部分が排紙口１７から外部に露出している。したがって、ユーザは、排紙口１７から付箋紙１２ｈを引き出すために、これを容易に摘むことができる。
【００５７】
しかも、ユーザが排紙口１７から付箋紙１２ｈを引き出すと、糊付け部が付着した付箋紙１２ｈを介して、送りローラ４１に正方向へ回転する力が加わるが、上記のワンウェイクラッチにより、糊付け部が送りローラ４１から離れるまで、送りローラ４１の正方向への回転が許容されている。このため、付箋紙１２ｈをスムースに引き出すことができると共に、付箋紙１２ｈに過度な引っ張り力が作用せず、付箋紙１２ｈが途中で破けるようなことがない。
【００５８】
また、付箋紙１２ｈを引き出す前に、上記したように、付箋紙受け部２５を筆記台として利用して、付箋紙１２ｈの印刷面に筆記することも可能である。しかもこのとき、排紙口１７から送り出された付箋紙１２ｈは、送りローラ４１およびサーマルヘッド６１によりその糊付け部が挟持された状態で、付箋紙受け部２５に受けられている。このため、付箋紙１２ｈに筆記する際に、筆記具を持っていない方の手等で付箋紙１２ｈ押さえなくとも、付箋紙がズレにくく、適切に筆記することができる。
【００５９】
なお、付箋紙１２ｈの引き出し易さを優先する場合には、送りローラ４１が、糊付け部に接触する位置まで付箋紙１２ｈを送ったところで回転駆動を停止すると共に、サーマルヘッド６１から僅かに離間するように、上記のローラ移動機構４４を構成してもよい。
【００６０】
このようにして、ユーザにより付箋紙１２ｈが引き出された後、ユーザが次の印刷開始を指示すると、送りローラ４１が回転を再開すると共に、サーマルヘッド６１から離間し、捲り位置へ戻る（図５（ｈ）参照）。
【００６１】
ここで、検出センサ２４の検出結果が「有」のままのとき、すなわちユーザにより付箋紙が引き出されていないときに、次の印刷開始を指示したとしても、パソコン３の制御部１０５により、駆動モータ４２が駆動しないようになっている。このため、送りローラ４１の再回転が禁止されると共に、送りローラ４１の捲り位置への移動が禁止される。このため、送りローラ４１に付着した付箋紙１２ｈが、送りローラ４１の回転や送りローラ４１の捲り位置への移動により、装置ケース１３の内部に引き込まれるようにして排紙口１７から逆戻りすることを確実に防止できる。
【００６２】
以上のように、本実施形態の付箋紙プリンタ２によれば、セットされた付箋紙束１２から引き剥がした付箋紙１２ｈを、排紙口１７から容易に引き出せるように、排紙口１７から送り出すことができる。また、排紙口１７から送り出された付箋紙１２ｈに対し、筆記のために一旦机の上等に貼ることなく、排紙された状態のままで筆記することができる。
【図面の簡単な説明】
【００６３】
【図１】付箋紙印刷システムを示す説明図である。
【図２】本発明の一実施形態に係る付箋紙プリンタの全体斜視図である。
【図３】付箋紙印刷システムを示す概念図である。
【図４】付箋紙プリンタの付箋紙受け部廻りの平面図である。
【図５】付箋紙プリンタによる一連の動作を示す流れ図である。
【符号の説明】
【００６４】
１…付箋紙印刷システム  ２…付箋紙プリンタ  １２…付箋紙束  １２ｈ…付箋紙  １３…装置ケース  １７…排紙口  ２２…送り機構  ２３…印刷機構  ４１…送りローラ  ７１…付箋紙受け台  ７２…支持脚  ７３…切欠き部  １０５…制御部
【図１】
2007197121.tif 000003
【図２】
2007197121.tif 000004
【図３】
2007197121.tif 000005
【図４】
2007197121.tif 000006
【図５】
2007197121.tif 000007